(57)【特許請求の範囲】
【請求項１】
縦方向及びそれに直交する横方向と、愛玩動物の身体と対向する身体対向面とその反対側に位置する非身体対向面とを有し、腹側域と、背側域と、前記縦方向において前記腹側域と前記背側域との間に位置する中間域と、透液性を有する内層シートと、不透液性の外層シートと、前記内外層シート間に介在された吸液性コアとを含む愛玩動物用の吸収性物品であって、
前記吸液性コアは、前記中間域に位置する前記愛玩動物の尻尾が挿通される切断ラインよりも前記腹側域にのみ配置されており、前記縦方向において互いに対向し、前記腹側域に位置する第１端部と、前記中間域に位置する第２端部とを有し、
前記吸液性コアの前記腹側域の前記横方向における寸法は、前記第２端部側から前記第１端部へ向けて次第に幅狭となることを特徴とする前記吸収性物品。
【請求項２】
前記吸液性コアは、前記第１端部を有する幅狭域と、前記第２端部を有する幅広域とに区分されており、前記幅狭域において、前記第２端部側から前記第１端部へ向けて次第に幅狭となる請求項１に記載の吸収性物品。
【請求項３】
前記吸液性コアは、前記幅狭域の前記縦方向における寸法が、前記吸液性コアの前記縦方向の寸法の３０−９０％の大きさである請求項２に記載の吸収性物品。
【請求項４】
前記腹側域において前記横方向へ延びる腹側弾性体をさらに有し、前記腹側弾性体は、前記吸液性コアと前記外層シートとの間において伸長状態で収縮可能に取り付けられ、前記吸液性コアの前記第１端部と平面視において重なる請求項１〜３のいずれか１項に記載の吸収性物品。
【請求項５】
前記内層シートの前記身体対向面において前記縦方向へ延びる一対のバリアカフシートをさらに有し、
一対の前記バリアカフシートは、前記内層シートまたは前記外層シートに固定された近位部と、前記縦方向へ延びるカフ弾性体が配設されて前記カフ弾性体の収縮作用によって前記内層シートから離すことが可能な遠位部と、前記縦方向の両端部において前記内層シートに固定された前後固定端部とを有し、前記前後固定端部と前記吸液性コアとが平面視において重なっていない請求項１〜４のいずれか一項に記載の吸収性物品。
【請求項６】
前記腹側域と前記背側域とを連結するための連結手段をさらに有し、前記連結手段は、前記腹側域の両側縁部から前記横方向の外側へ延出する一対のファスニングタブを備え、
前記ファスニングタブは、前記内層シート又は前記外層シートに固定された固定部を有し、
前記吸液性コアの前記第１端部の一部が、前記固定部の前記背側域側に位置する端縁よりも前記縦方向の外側に延在する請求項１〜５のいずれか一項に記載の吸収性物品。
【請求項７】
前記腹側域における前記カフ弾性体の端部が、平面視において前記腹側弾性体に重なる請求項５に記載の吸収性物品。
【請求項８】
前記縦方向において、前記腹側域から前記背側域へ延び、前記バリアカフシートと前記外層シートとの間において伸長状態で収縮可能に取り付けられたサイド弾性体をさらに有し、
前記腹側域における前記サイド弾性体の端部が、平面視において前記腹側弾性体に重なる請求項５に記載の吸収性物品。
【発明の詳細な説明】
【技術分野】
【０００１】
この発明は、犬等の愛玩動物に着用させる吸収性物品に関する。
【背景技術】
【０００２】
従来、縦方向及びそれに直交する横方向と、愛玩動物の身体と対向する身体対向面とその反対側に位置する非身体対向面とを有し、腹側域と、背側域と、前記縦方向において前記腹側域と前記背側域との間に位置する中間域と、透液性を有する内層シートと、不透液性を有する外層シートと、前記内層シート間に介在された吸液性コアとを含む愛玩動物用の吸収性物品は公知である。
【０００３】
例えば、特許文献１には、内層シートであるトップシートと、外層シートであるバックシートと、前記内外層シート間に介在された吸液性コアとを有する吸収性物品が開示されている。この吸収性物品の吸液性コアは略長方形状を有し、吸液性コアは、縦方向において互いに対向し、腹側域に位置する第１端部と、中間域に位置する第２端部とを有し、吸液性コアの横方向における寸法が縦方向において一定である。
【特許文献１】特開２００４−１５９５９１号公報
【発明の概要】
【発明が解決しようとする課題】
【０００４】
特許文献１に開示された吸収性物品では、吸液性コアの横方向における寸法が、縦方向において一定であるため、前記吸収性物品を愛玩動物に着用させる場合において、前記吸液性コアの前記第１端部を、愛玩動物の後脚の間に通す際、前記吸液性コアが後脚に引っ掛かるため、着用させづらい、若しくは後脚の股下の間に吸液性コアを通しづらい課題が存在した。
【０００５】
本発明は、愛玩動物の後脚の間に吸液性コアを通す際、吸液性コアが後脚に引っ掛かることを抑えることができ、愛玩動物に対して容易に着用させることができる吸収性物品の提供に関する。
【課題を解決するための手段】
【０００６】
前記課題を解決するため、本発明は、縦方向及びそれに直交する横方向と、愛玩動物の身体と対向する身体対向面とその反対側に位置する非身体対向面とを有し、腹側域と、背側域と、前記縦方向において前記腹側域と前記背側域との間に位置する中間域と、透液性を有する内層シートと、不透液性の外層シートと、前記内外層シート間に介在された吸液性コアとを含む愛玩動物用の吸収性物品に関する。
【０００７】
本発明における前記吸液性コアは、前記中間域に位置する前記愛玩動物の尻尾が挿通される切断ラインよりも前記腹側域にのみ配置されており、前記縦方向において互いに対向し、前記腹側域に位置する第１端部と、前記中間域に位置する第２端部とを有し、前記吸液性コアの前記腹側域における前記横方向における寸法は、前記第２端部側から前記第１端部へ向けて次第に幅狭となることを特徴とする。
【発明の効果】
【０００８】
本発明に係る愛玩動物用の吸収性物品の１つ以上の実施態様によれば、前記吸液性コアの前記腹側域の前記横方向における寸法は、前記第２端部側から前記第１端部へ向けて次第に幅狭となるため、愛玩動物の後脚の間に前記吸液性コアの前記第１端部を通す際、前記吸液性コアが後脚に引っ掛かることを抑えることができ、愛玩動物に対して容易に着用させることができる。
【図面の簡単な説明】
【０００９】
図面は、本発明の特定の実施の形態を示し、発明の不可欠な構成ばかりでなく、選択的及び好ましい実施の形態を含む。
【図１】本発明の吸収性物品の一例である第１実施形態のおむつを犬に着用させた状態の斜視図。
【図２】おむつの平面図。
【図３】図２のＩＩＩ−ＩＩＩ線に沿う模式的断面図。
【図４】図２のＩＶ−ＩＶ線に沿う模式的断面図。
【図５】図２のＶ−Ｖ線に沿う模式的断面図。
【図６】図２のＶＩ−ＶＩ線に沿う模式的断面図。
【図７】第１及び第２連結要素によって腹側域と背側域とを連結させた状態のおむつを示す模式的断面図。
【図８】おむつを愛玩動物に着用させる場合を説明する斜視図。
【図９】おむつを愛玩動物に着用させる場合において、愛玩動物の後方からみたおむつを示す説明図。
【図１０】第２実施形態のおむつの図１と同様の図。
【図１１】第２実施形態のおむつの図２と同様の図。
【図１２】第２実施形態のおむつの図３と同様の図。
【図１３】（ａ）第２実施形態のおむつの図４と同様の図。（ｂ）腹側弾性体が収縮することによって、腹側域の横方向における中央域が、両側縁部に対して身体対向面側へ突出した状態を示す断面図。
【図１４】各弾性体の収縮力が作用した状態におけるシャーシの第１端部を示す平面図。
【図１５】おむつを愛玩動物に着用させる途中において、シャーシの第１端部を手で摘まんだ状態を示す斜視図。
【図１６】おむつを愛玩動物に着用させた状態において、愛玩動物と吸液性コアとの関係を示す説明図。
【発明を実施するための形態】
【００１０】
下記の実施形態は、図１〜１６に示す愛玩動物用の吸収性物品の一例であるおむつに関し、発明の不可欠な構成ばかりではなく、選択的及び好ましい構成を含む。
【００１１】
＜第１実施形態＞
図１〜９は、本発明に係るおむつ１０の第１実施形態を示す。なお、図２〜６は、後記弾性体２９，４９を伸長させた状態（緊張状態）を示す。おむつ１０は、縦方向Ｙ及びそれに直交する横方向Ｘと、愛玩動物の身体と対向する身体対向面とその反対側に位置する非身体対向面と、横方向Ｘにおける寸法を二等分して縦方向Ｙへ延びる縦中心線Ｐ及び縦方向Ｙにおける寸法を二等分して横方向Ｘへ延びる横中心線Ｑとを有する。また、おむつ１０は、腹側域１１と、背側域１２と、縦方向Ｙにおいて腹側域１１と背側域１２との間に位置する中間域１３と、身体対向面側に位置して透液性を有するトップシート（内層シート）１５と、非身体対向面側に位置して不透液性を有するバックシート（外層シート）１６と、トップシート１５とバックシート１６との間に介在されて少なくとも中間域１３に位置する吸収体１８とを有するシャーシ１９と、腹側域１１と背側域１２とを互いに連結する連結手段２０とを有する。おむつ１０を犬等の愛玩動物が着用した状態では、腹側域１１は愛玩動物の腹に対向し、背側域１２は愛玩動物の背に対向し、中間域１３は愛玩動物の臀部に対向する。
【００１２】
図２を参照すると、シャーシ１９は、トップシート１５と、バックシート１６と、トップシート１５とバックシート１６との間に介在された吸収体１８とを含む。図２〜６を参照すると、シャーシ１９は、縦方向Ｙにおいて対向し、横方向Ｘへ延びる第１端部２４と第２端部２５と含み、横方向Ｘにおいて対向し、縦方向Ｙへ延びる両側縁部２６，２７とを含む。
【００１３】
トップシート１５は、繊維不織布、多孔プラスチックフィルム、それらのラミネートシート等から形成されている。例えばトップシート１５は、質量が１０〜４０ｇ／ｍ２の範囲である、エアースルー繊維不織布やスパンボンド繊維不織布、ポイントボンド繊維不織布等から形成されている。
【００１４】
バックシート１６は、シャーシ１９の外形をなすものであって、透湿性プラスチックフィルム、繊維不織布、それらのラミネートシート等から形成されている。例えばバックシート１６は、質量が８〜３０ｇ／ｍ２の範囲である、スパンボンド繊維不織布等から形成されている。
【００１５】
トップシート１５とバックシート１６とは、吸収体１８の周縁部から延出しており、該延出部位における両シート１５，１６のうちの少なくともいずれか一方の身体対向面に塗布されたホットメルト接着剤（図示せず）を介して互いに接合されている。両シート１５，１６の間には、防漏シート４１を設け、バックシート１６に固定した防漏シート４１を介して吸収体１８を固定してもよい。シャーシ１９の中間域１３において、両シート１５，１６及び防漏シート４１には、愛玩動物の尻尾が挿通される切断ライン２２を形成してある。図４〜６に示すように、例えばトップシート１５の横方向Ｘにおける寸法は、防漏シート４１の横方向Ｘにおける寸法よりも小さい。
【００１６】
おむつ１０の腹側域１１及び背側域１２には、横方向Ｘへ延びる弾性体をそれぞれ配置していない。よって、背側域１２では、横方向Ｘへ延びる弾性体によって、両シート１５，１６が横方向Ｘへ収縮することを抑え、後記するメカニカルファスナのループ群から形成された第１連結要素５２が横方向Ｘへ収縮することを抑えることができる。従って、第１連結要素５２と第２連結要素５３とを容易に連結することができる。
【００１７】
吸収体１８は、フラッフパルプと吸収性ポリマー粒子との混合物等から形成された吸液性コア３４と、長方形状を有して吸液性コア３４を被包したティシュペーパー等の液拡散性シート３５とを有している。吸収体１８は、縦方向Ｙにおいて、中間域１３から腹側域１１へ延びるように配置してあって、切断ライン２２よりも腹側域１１にのみ配置してある。
【００１８】
吸液性コア３４は、縦方向Ｙにおいて互いに対向し、腹側域１１に位置する第１端部３８と、中間域１３に位置する第２端部４０とを有し、第１端部３８を有する幅狭域３６と、第２端部４０を有する幅広域３７とに区分されている。幅広域３７において、吸液性コア３４の横方向Ｘにおける寸法は一定である。吸液性コア３４は、第１端部３８における横方向Ｘの寸法Ｌ１が、第２端部４０における横方向Ｘの寸法よりも小さく、幅狭域３６において、第２端部４０側から第１端部３８へ次第に幅が狭くなる。また、弾性体２９，４９の収縮力が作用していない状態では、縦方向Ｙにおいて、吸液性コア３４の幅狭域３６の縦方向Ｙにおける寸法Ｌ３が、吸液性コア３４の縦方向Ｙにおける寸法Ｌ４の約３０〜９０％の大きさであることが好ましい。また、例えば第１端部３８における横方向Ｘの寸法Ｌ１は、約５０−８０ｍｍである。第１端部３８における横方向Ｘの寸法Ｌ１は、第２端部４０における横方向Ｘの寸法Ｌ２の約３０−７０％である。なお、この発明において、「第１端部３８」とは、縦方向Ｙにおいて、吸液性コア３４における一方の側の最も先端の箇所をいう。また「第２端部４０側」とは、吸液性コア３４における他方の側の最も先端の箇所と、その近傍を含む箇所をいう。
【００１９】
図３〜６を参照すると、トップシート１５とバックシート１６との間には、不透液性かつ透湿性のプラスチックフィルムから形成された防漏シート４１が配置されている。防漏シート４１は、両シート１５，１６のうちのいずれか一方の身体対向面に塗布されたホットメルト接着剤（図示せず）を介して固定されている。
【００２０】
図２〜６を参照すると、シャーシ１９は、トップシート１５の身体対向面において縦方向Ｙへ延びる一対のバリアカフシート４３，４４をさらに有している。バリアカフシート４３，４４は、縦中心線Ｐに対して対称となるように配置してある。バリアカフシート４３，４４は、両側縁部２６，２７の一部を形成し、バックシート１６の身体対向面に固定された近位部４５と、縦方向Ｙの両端においてトップシート１５の身体対向面に固定された前固定端部４６および後固定端部４７と、前後固定端部４６，４７間において縦方向Ｙへ延び、バリアカフシート４３，４４の内側縁５０を内方へ折り返すことによって形成された遠位部４８とを有する。
【００２１】
バリアカフシート４３，４４とバックシート１６との間、より具体的には、バリアカフシート４３，４４と防漏シート４１との間には、縦方向Ｙへ延びるサイド弾性体２９を取り付けてある。サイド弾性体２９としては、太さ約２００〜１０００ｄｔｅｘのストランド状またはストリング状のものを用いることができる。サイド弾性体２９は、腹側域１１、中間域１３及び背側域１２において縦方向Ｙへ伸長状態で収縮可能に取り付けられる。
【００２２】
バリアカフシート４３，４４の遠位部４８には、縦方向Ｙへ延びるストランド状又はストリング状のカフ弾性体４９が収縮可能に配設されている。図２に示すように、カフ弾性体４９は、横方向Ｘにおいて吸収体１８が存在する部位では、伸長状態でバリアカフシート４３，４４に固定してあるが、横方向Ｘにおいて吸収体１８が存在しない中間域１３の背側域１２側では、収縮力が作用しないようにバリアカフシート４３，４４に固定してある。これにより、図７に示すように、第１及び第２連結要素５２，５３を連結し、腹側域１１と背側域１２とを連結した状態において、縦方向Ｙにおける吸収体１８が存在する部分では、カフ弾性体４９の収縮作用によってトップシート１５の身体対向面から遠位部４８が離れ、バリアカフシート４３，４４によって排泄物の横漏れを防止するための一対の防漏カフが形成される。
【００２３】
連結手段２０は、背側域１２におけるバックシート１６の非身体対向面において、横方向Ｘへ延びるメカニカルファスナのループ群から形成された第１連結要素５２（図１及び図２参照）と、メカニカルファスナのフック群から形成され、第１連結要素５２に連結可能な第２連結要素５３とを有している。バリアカフシート４３，４４とバックシート１６との間には、一対のファスニングタブ５５の固定部５６が介在されており、シート１６，４３，４４の身体対向面に塗布されたホットメルト接着剤（図示せず）を介して固定部５６が固定されている。ファスニングタブ５５は、例えば、プラスチックフィルム、繊維不織布、それらのラミネートやクラフト紙等の比較的に剛性及び引張強度の高いシート材料から形成されることが好ましい。縦中心線Ｐに対して距離をおいて延びる一対のファスニングタブ５５の自由部５７における身体対向面には、第２連結要素５３を固定してある。
【００２４】
図８を参照すると、おむつ１０を愛玩動物５に着用させる場合、先ず、切断ライン２２によって開口を形成し、その開口に愛玩動物５の尻尾６を挿入し、背側域１２に愛玩動物５の背を当接させる。この状態では、図９に示すように、愛玩動物５の両後脚７の間に、吸液性コア３４の幅狭域３６が位置する。また、おむつ１０の下端に、腹側域１１が位置し、その腹側域１１の横方向Ｘの外側に第２連結要素５３が位置する。この状態において、吸液性コア３４が存在する腹側域１１を指で摘まみながら、愛玩動物５の両後脚７間にシャーシ１９の第１端部２４を通す。この際、吸液性コア３４の腹側域１１の横方向Ｘにおける寸法は、第２端部４０側から第１端部３８へ向けて次第に幅狭となるため、吸液性コア３４の第１端部３８が両後脚７に引っ掛かることを抑えることができ、愛玩動物５に対して容易におむつ１０を着用させることができる。
【００２５】
その後、第１連結要素５２と第２連結要素５３とを連結することによって、胴周り開口５９と、一対の後脚開口６０とが画成される（図１及び図７参照）。胴周り開口５９は、シャーシ１９の腹側域１１の第１端部２４と、背側域１２の第２端部２５とによって画成され、後脚開口６０は、シャーシ１９の両側縁部２６，２７によって画成される。なお、図示例においては、バックシート１６の身体対向面に塗布されたホットメルト接着剤を介してファスニングタブ５５を固定するものを示したが、トップシートを横方向に延在させ、このトップシートの非身体対向面に塗布したホットメルト接着剤を介してファスニングタブを固定してもよい。
【００２６】
このおむつ１０によれば、上述した作用・効果に加えて、バリアカフシート４３，４４の近位部４５と吸液性コア３４とが重ならず、かつバリアカフシート４３，４４の前後固定端部４６，４７と吸液性コア３４とが重ならないため、カフ弾性体４９の収縮力が、吸液性コア３４の剛性によって小さくなることを抑えることができる。よって、吸液性コア３４の剛性の影響を抑えながらカフ弾性体４９の収縮力によってバリアカフシート４３を吸収体１８の身体対向面側に起立させることができるため、尿等の体液が横方向Ｘにおいて、おむつ１０の両側縁部２６，２７から漏れることを防止することができる。
【００２７】
また、吸液性コア３４の第１端部３８の一部が、固定部５６の背側域１２側に位置する端縁よりも縦方向Ｙの外側に延在するため、愛玩動物５の両後脚７の間にシャーシ１９の第１端部２４を通す場合において、両後脚７の間を通す部分に、剛性の高い吸液性コア３４が存在する。よって、剛性の高い吸液性コア３４は、形状を維持することができるから、愛玩動物５の両後脚７の間に第１端部２４を通すことが容易となる。しかも、吸液性コア３４は、縦方向Ｙにおいて、腹側域１１から中間域１３へ連続するため、剛性の高い吸液性コア３４が存在する部分を摘まむのが容易である。
【００２８】
＜第２実施形態＞
図１０〜１６は、第２実施形態のおむつ１０を示す。このおむつ１０の腹側域１１の第１端部２４側において、吸収体１８とバックシート１６との間、より具体的には、防漏シート４１とバックシート１６との間には、横方向Ｘへ延びる腹側弾性体６２を取り付けてある。腹側弾性体６２は、例えばポリウレタン等のエラストマー樹脂によって帯状に形成してある。
【００２９】
吸液性コア３４は、弾性体２９，４９，６２の収縮力が作用していない状態では、幅狭域３６において、腹側域１１の第１端部３８から横中心線Ｑに近接するに従って徐々に小さくなった後、横中心線Ｑに近接するに従って徐々に大きくなる。吸液性コア３４の幅広域３７では、弾性体２９，４９，６２の収縮力が作用していない状態において、横方向Ｘにおける寸法が一定である。
【００３０】
図１１を参照すると、腹側弾性体６２は、腹側域１１において、吸液性コア３４の第１端部３８と、第１端部３８から横中心線Ｑへ近接するに従って徐々に吸液性コア３４の横方向Ｘにおける寸法が徐々に小さくなる部分３９とに重なるように、縦方向Ｙにおいて所定の寸法を有する帯状を有している。横方向Ｘに腹側弾性体６２が収縮することによって、図１４に示すように、吸液性コア３４の第１端部３８の横方向Ｘにおける寸法を小さくすることができ、吸液性コア３４の幅狭域３６の横方向Ｘにおける寸法は、第２端部４０側から第１端部３８へ向けて次第に幅狭にすることができる。よって、おむつ１０を愛玩動物５に着用させる場合において、吸液性コア３４が両後脚７に引っ掛かることを抑えることができ、愛玩動物５に対して容易におむつ１０を着用させることができる。しかも、腹側弾性体６２が横方向Ｘへ収縮していない状態では、第１端部３８における吸液性コア３４の横方向Ｘにおける寸法を比較的大きくすることができるため、第１端部３８における吸液性コア３４の吸収容量が低下することを抑えながら、上記作用・効果を奏することができる。加えて、腹側弾性体６２が横方向Ｘへ収縮した状態では、吸液性コア３４における横方向Ｘの寸法を小さくし、第１端部３８における吸液性コア３４の剛性を一層高くすることができる。よって、愛玩動物５の両後脚７の間に一層剛性の高い吸液性コア３４の第１端部３８を通せばよいため、愛玩動物５に対するおむつ１０の着用をさらに容易にすることができる。
【００３１】
腹側弾性体６２が横方向Ｘにおいて収縮することによって、第１端部３８の横方向Ｘにおける寸法を小さくするとともに、腹側域１１において、縦中心線Ｐを含む横方向Ｘの中央域を両側縁部２６，２７に対して身体対向面側へ突出させるか、若しくは非身体対向面側へ突出させることができる。例えば図１３（ｂ）に示すように、腹側弾性体６２が横方向Ｘにおいて収縮することによって、腹側域１１において、横方向Ｘの中央域６３を両側縁部２６，２７に対して身体対向面側へ突出させることができる。
【００３２】
腹側域１１において、横方向Ｘの中央域６３を両側縁部２６，２７に対して身体対向面側へ突出した状態と、横方向Ｘの中央域６３を両側縁部２６，２７に対して非身体対向面側へ突出した状態とは、相互に変形させることができる。例えば、腹側域１１において、横方向Ｘの中央域６３を両側縁部２６，２７に対して身体対向面側へ突出した状態において、横方向Ｘの中央域６３を、身体対向面側から非身体対向面側へ指で押せば、横方向Ｘの中央域６３を両側縁部２６，２７に対して非身体対向面側へ突出した状態に変形させることができる。
【００３３】
図１３（ｂ）及び図１５を参照すると、おむつ１０を愛玩動物５に着用させる途中において、腹側域１１の横方向Ｘの中央域６３を両側縁部２６，２７に対して身体対向面側へ突出させれば、一対のファスニングタブ５５の自由部５７は、重力の作用によって下方へ向けて垂れ下がり、第２連結要素５３を愛玩動物５の肌から離すことができる。これにより、第２連結要素５３を指で摘まむのが容易になるため、第１及び第２連結要素５２，５３の連結を簡単にすることができる。
【００３４】
加えて、おむつ１０を愛玩動物５に着用させる途中において、腹側域１１の横方向Ｘの中央域６３を両側縁部２６，２７に対して身体対向面側へ突出させることによって、図１６に示すように、吸液性コア３４の横方向Ｘの中央部３４ｅを、愛玩動物５の腹に当接させ、かつ吸液性コアの横方向Ｘの両側部３４ｃ，３４ｄを、愛玩動物５の鼠蹊部に当接させることができるため、おむつ１０を愛玩動物に着用させることが一層容易になる。
【００３５】
さらに、腹側域１１におけるカフ弾性体４９の一方の端部が、平面視において、腹側弾性体６２に重なるため、両弾性体４９，６２の収縮力の相互作用によって、腹側域１１において、横方向Ｘの中央域６３を両側縁部２６，２７に対して身体対向面側へ突出させるか、若しくは非身体対向面側へ突出させることができる。横方向Ｘの中央域６３を両側縁部２６，２７に対して身体対向面側へ突出した状態では、第２連結要素５３を、愛玩動物の肌から離すことができるため、第２連結要素５３を指で摘まむのが容易になる。これにより、第１及び第２連結要素５２，５３の連結を簡単にすることができる。
【００３６】
加えて、腹側域１１におけるサイド弾性体２９の一方の端部が、平面視において、腹側弾性体６２に重なるため、両弾性体２９，６２の収縮力の相互作用によって、腹側域１１において、横方向Ｘの中央域６３を両側縁部２６，２７に対して身体対向面側へ突出させるか、若しくは非身体対向面側へ突出させることができる。横方向Ｘの中央域６３を両側縁部２６，２７に対して身体対向面側へ突出した状態では、第２連結要素５３を、愛玩動物の肌から離すことができるため、第２連結要素５３を指で摘まむのが容易になる。これにより、第１及び第２連結要素５２，５３の連結を簡単にすることができる。
【００３７】
このおむつ１０によれば、上述した作用・効果に加えて、バリアカフシート４３の近位部４５と吸液性コア３４とが重ならず、かつバリアカフシート４３の前後固定端部４６，４７と吸液性コア３４とが重ならないため、カフ弾性体４９の収縮力が、吸液性コア３４の剛性によって小さくなることを抑えることができる。よって、両弾性体２９，４９の収縮力の相互作用によって、腹側域１１において、横方向Ｘの中央域６３を両側縁部２６，２７に対して身体対向面側へ一層突出させることができる。これにより、第１及び第２連結要素５２，５３の連結を簡単にすることができる。
【００３８】
なお、上述した腹側弾性体６２は、横方向Ｘの両端部に、幅の広い拡幅部を有する一方、両端部の間に幅が一定の定幅部を有するものを一例として説明した。しかし、この発明は、それに限られず、腹側弾性体は、例えば横方向Ｘの全域において幅が一定の長方形状を有してもよい。
【００３９】
以上に記載した本発明に関する開示は、少なくとも下記事項に整理することができる。
縦方向及びそれに直交する横方向と、愛玩動物の身体と対向する身体対向面とその反対側に位置する非身体対向面とを有し、腹側域と、背側域と、前記縦方向において前記腹側域と前記背側域との間に位置する中間域と、透液性を有する内層シートと、不透液性の外層シートと、前記内外層シート間に介在された吸液性コアとを含む愛玩動物用の吸収性物品であって、前記吸液性コアは、前記中間域に位置する前記愛玩動物の尻尾が挿通される切断ラインよりも前記腹側域にのみ配置されており、前記縦方向において互いに対向し、前記腹側域に位置する第１端部と、前記中間域に位置する第２端部とを有し、前記吸液性コアの前記腹側域の前記横方向における寸法は、前記第２端部側から前記第１端部へ向けて次第に幅狭となることを特徴とする。
【００４０】
上記段落〔００３９〕に開示した本発明は、少なくとも下記の実施の形態を含むことができる。該実施の形態は、分離して又は互いに組み合わせて採択することができる。
（１）  前記吸液性コアは、前記第１端部を有する幅狭域と、前記第２端部を有する幅広域とに区分されており、前記幅狭域において、前記第２端部側から前記第１端部へ向けて次第に幅狭となる。
（２）  前記吸液性コアは、前記幅狭域の前記縦方向における寸法が、前記吸液性コアの前記縦方向の寸法の３０−９０％の大きさである。
（３）  前記腹側域において前記横方向へ延びる腹側弾性体をさらに有し、前記腹側弾性体は、前記吸液性コアと前記外層シートとの間において伸長状態で収縮可能に取り付けられ、前記吸液性コアの前記第１端部と平面視において重なる。
（４）  前記内層シートの前記身体対向面において前記縦方向へ延びる一対のバリアカフシートをさらに有し、一対の前記バリアカフシートは、前記内層シートまたは外層シートに固定された近位部と、前記縦方向へ延びるカフ弾性体が配設されて前記カフ弾性体の収縮作用によって前記内層シートから離すことが可能な遠位部と、前記縦方向の両端部において前記内層シートに固定された前後固定端部とを有し、前記前後固定端部と前記吸液性コアとが平面視において重なっていない。
（５）  前記腹側域と前記背側域とを連結するための連結手段をさらに有し、前記連結手段は、前記腹側域の両側縁部から前記横方向の外側へ延出する一対のファスニングタブを備え、前記ファスニングタブは、前記内層シート又は前記外層シートに固定された固定部を有し、前記吸液性コアの前記第１端部の一部が、前記固定部の前記背側域側に位置する端縁よりも前記縦方向の外側に延在する。
（６）  前記腹側域における前記カフ弾性体の端部が、平面視において前記腹側弾性体に重なる。
（７）  前記縦方向において、前記腹側域から前記背側域へ延び、前記バリアカフシートと前記外層シートとの間において伸長状態で収縮可能に取り付けられたサイド弾性体をさらに有し、前記腹側域における前記サイド弾性体の端部が、平面視において前記腹側弾性体に重なる。
【符号の説明】
【００４１】
１０      吸収性物品（おむつ）
１１      腹側域
１２      背側域
１３      中間域
１５      トップシート（内層シート）
１６      バックシート（外層シート）
１９      シャーシ
２０      連結手段
２２      切断ライン
２４      第１端部
２５      第２端部
２９      サイド弾性体
３４      吸液性コア
３５      液拡散性シート
４３      バリアカフシート
４４      バリアカフシート
４５      近位部
４６      前固定端部
４７      後固定端部
４８      遠位部
４９      カフ弾性体
５２      第１連結要素
５３      第２連結要素
５５      ファスニングタブ
６２      腹側弾性体
Ｌ１      吸液性コアの第１端部の横方向における寸法
Ｌ２      吸液性コアの第２端部の横方向における寸法
Ｌ３      吸液性コアの幅狭域の縦方向における寸法
Ｌ４      吸液性コアの縦方向の寸法
Ｘ        横方向
Ｙ        縦方向
【要約】愛玩動物の後脚の間に通す際、吸液性コアが後脚に引っ掛かることを抑えることができ、愛玩動物に対して容易に着用させることができる吸収性物品の提供。  
【課題】  吸収性物品であるおむつ１０は、縦方向Ｙ及びそれに直交する横方向Ｘと、愛玩動物の身体と対向する身体対向面とその反対側に位置する非身体対向面とを有し、腹側域１１と、背側域１２と、縦方向Ｙにおいて腹側域１１と背側域１２との間に位置する中間域１３と、透液性を有するトップシート（内層シート）１５と、不透液性のバックシート（外層シート）１６と、前記内外層シート間に介在された吸液性コア３４とを含む。吸液性コアは、中間域１３に位置する愛玩動物の尻尾が挿通される切断ライン２２よりも腹側域１１にのみ配置され、縦方向において互いに対向し、腹側域１１に位置する第１端部３８と、中間域１３に位置する第２端部４０とを有する。吸液性コア３４の腹側域１１の横方向Ｘにおける寸法は、第２端部４０側から第１端部３８へ向けて次第に幅狭となる。
【選択図】図２【図１】
0005576002.tif 000002
【図２】
0005576002.tif 000003
【図３】
0005576002.tif 000004
【図４】
0005576002.tif 000005
【図５】
0005576002.tif 000006
【図６】
0005576002.tif 000007
【図７】
0005576002.tif 000008
【図８】
0005576002.tif 000009
【図９】
0005576002.tif 000010
【図１０】
0005576002.tif 000011
【図１１】
0005576002.tif 000012
【図１２】
0005576002.tif 000013
【図１３】
0005576002.tif 000014
【図１４】
0005576002.tif 000015
【図１５】
0005576002.tif 000016
【図１６】
0005576002.tif 000017